(57)【要約】データの送信及び受信のための装置及び方法に関する。情報の再送信は初回送信と異なるサイズであり得る。本発明は再送信のためのチャネル資源の利用可能度により定められるデータを切断し且つ拡張する部分チェイスエンコーダを利用する。部分チェイスコンバイナは、受信復調データを、符号の数及び受信した変調（決められており、付加的な信号を要求しない等、）に基づいて処理する。受信した再送信が初回送信より小さい場合、ソフトビットは合成される。再送信が初回送信より大きい場合、格納された初回送信の一部の値は再送信の１つ以上の受信ソフトビットと合成される。
2005503692.tif 000002
【特許請求の範囲】
【請求項１】
複数の通信チャネルを備えた通信システムでのデータ送信方法において、
第一の数の通信チャネルからなる通信チャネルの第一の集合を介してデータを送信する工程と、
第二の数の通信チャネルからなる通信チャネルの第二の集合を介して前記データの少なくとも一部を、再送信する工程とからなり、通信チャネルの前記第一の数は通信チャネルの前記第二の数と異なり、通信チャネルの前記第二の集合は通信チャネルの前記第一の集合に属する１つ以上のチャネルを備えてもよいデータ送信方法。
【請求項２】
通信チャネルの前記第一の数は通信チャネルの前記第二の数より大きく、及び前記再送信工程は、データの所定の部分を、通信チャネルの前記第二の集合を介して再送信すべく選択する工程を備える請求項１に記載の方法。
【請求項３】
通信チャネルの前記第一の数は通信チャネルの前記第二の数より大きく、及び再送信する工程は、データの全てを、通信チャネルの前記第二の集合を介して送信すべく選択する工程を備える請求項１に記載の方法。
【請求項４】
通信チャネルの前記第一の集合を介して送信されるデータは、第一のＭＣＳを使用して変調され、通信チャネルの前記第二の集合を介して再送信される前記データの少なくとも一部は第二のＭＣＳを使用して変調され、及び前記第二のＭＣＳは前記第一のＭＣＳより効率的である結果、通信チャネルの前記第一の集合の２以上の通信チャネルを介して送信されるデータは、通信チャネルの第二の集合のより少ない数のチャネルを介して送信されることを可能にする請求項１に記載の方法。
【請求項５】
通信チャネルの前記第一の数は通信チャネルの前記第二の数より大きく、及び通信チャネルの前記第二の集合が充満した場合、通信チャネルの前記第一の集合を介して送信された残りのデータは送信されない請求項４に記載の方法。
【請求項６】
通信チャネルの前記第一の数は通信チャネルの前記第二の数より小さく、及び通信チャネルの前記第二の集合が完全に充填されるまで、チャネルの前記第一の集合を介して送信されるデータは、通信チャネルの前記第二の集合を反復して充填する請求項４に記載の方法。
【請求項７】
通信チャネルの前記第一の集合を介して送信されるデータは第一のＭＣＳを使用して変調され、通信チャネルの前記第二の集合を介して再送信される前記データの少なくとも一部は、第二のＭＣＳを使用して変調され、及び前記第一のＭＣＳは前記第二のＭＣＳより効率的である結果、通信チャネルの前記第一の集合に属する１つの通信チャネルを介して送信されるデータは、通信チャネルの前記第二の集合に属する２つ以上の通信チャネルを介して送信される請求項１に記載の方法。
【請求項８】
通信チャネルの前記第一の数は通信チャネルの前記第二の数より小さく、及び通信チャネルの前記第二の集合が完全に充填されるまで、チャネルの前記第一の集合を介して送信されるデータは、通信チャネルの前記第二の集合を反復して充填する請求項７に記載の方法。
【請求項９】
通信チャネルの前記第一の数は通信チャネルの前記第二の数より大きく、及び通信チャネルの前記第二の集合が充満している場合、通信チャネルの前記第一の集合を介して送信された残りのデータが廃棄される請求項７に記載の方法。
【請求項１０】
複数の通信チャネルを介してデータを送信するための通信装置であって、
データを処理するためのプロセッサと、
通信チャネルの第一の集合を介してデータを送信するため、通信チャネルの前記第一の集合は通信チャネルの第一の数を含み、
及び、通信チャネルの第二の集合を介してデータの少なくとも一部を再送信するため、通信チャネルの前記第二の集合は通信チャネルの第二の数を含み、通信チャネルの前記第一の数は、通信チャネルの前記第二の数と異なり、及び通信チャネルの前記第二の集合は、通信チャネルの前記第一の集合の１つ以上のチャネルを含み得る送信機とを備える装置。
【発明の詳細な説明】
【技術分野】
【０００１】
本発明は一般的に通信システムに関する。より詳細には部分的にチェイス符号化を行い、及びサイズの異なる送信を合成することに関する。
【背景技術】
【０００２】
ハイブリッドＡＲＱ（ＨＡＲＱ）は通信システムのスループットにおいて有利であること、及び変調及び符号化スキーム（ＭＣＳ）の選択誤りに対して堅調なシステムを構成することが示されてきた。完全なチェイス合成（ｆｕｌｌ  Ｃｈａｓｅ  ｃｏｍｂｉｎｉｎｇ）はＨＡＲＱの最も単純な形態である。完全なチェイス合成スキームにおいて、情報の再送信は単純に初回送信の反復である。チェイス合成のための共有送信デコーダは、初回送信に使用されたデコーダとこれに付随した、単一のソフト格納バッファ及びソフトコンバイナから形成されるため、チェイスＨＡＲＱデコーダは完全な増加的冗長化（ＩＲ）ＨＡＲＱデコーダよりも実施が容易である。ＩＲでは、ソフト格納は送信毎に提供される必要があり（即ち、合成無しで実行される）、共有デコーダは全ての受信データを処理する必要がある。
【０００３】
図１で示されるように、完全チェイスＨＡＲＱは通信装置の送信機／受信機の流れの中で実施されている。チャネルエンコーダ及びデコーダブロックは巡回冗長検査（ＣＲＣ）符号、及びターボ符号、畳み込み符号を使用した誤り訂正（ＦＥＣ）符号、ボーズ−チャドリイ−オケンジエム（ＢＣＨ）符号、或いは他の符号（付加的な末尾ビットがある場合）と同様なレートマッチング等の機能から構成され得る。ブロックインターリーバ及びデインターリーバは受信ビット及び値を並び替えし、チャネルエンコーダ及びデコーダがダイバシティの長所を提供することを補助する。変調器及び復調器ブロックには、ＱＰＳＫ、８ＰＳＫ、ＭＱＡＭやウォルシュ（Ｗａｌｓｈ）符号の逆多重化及び拡散等の他の変調が含まれ得る。公知のように、ブロックデインターリーバの前又は後で、完全なチェイス合成機能は実行される。
【０００４】
完全チェイスＨＡＲＱの潜在的な欠陥は全ての情報の再送信が元の送信と同一のサイズである必要があることである。音声及び追加チャンネルデータ等、通信量の特定の組合せにおいて、符号空間、タイムスロット、周波数チャネル、又はストリーム等、利用可能なチャネル資源が、更なる再送信をするには符号空間が不十分であるために変更させる結果中断させることがある。同様に、符号空間の変更は追加の符号資源を提供し得るが、完全チェイスＨＡＲＱでは、再送信が初回送信と同一のサイズであるため、現行使用者は付加的な符号資源の利点を活用し得ない。
【０００５】
従って、情報の再送信が初回送信と異なるサイズであり得る、データの送信及び受信のための装置及び方法に対する必要性がある。
【発明を実施するための最良の形態】
【０００６】
本発明の好適な実施形態に使用される部分チェイスＨＡＲＱ技術は、現行通信システムには最小限の影響をもって、多様なサイズの送信の長所を取得することを目的としている。本発明の好適な実施形態において、部分チェイスＨＡＲＱ技術は、移動基地局（ＭＳ）等の通信装置で実施され得る。図２は典型的なＭＳ２００の幾つかの構成要素を示すブロックダイヤグラムである。図のように、ＭＳ２００はアンテナ２０２、送信機２０４、受信機２０６、メモリ（図示せず）を含むマイクロプロセッサ２０８、電力供給ＩＣ２１０、マイク２１２、スピーカ２１４、キーパッド２１６、ディスプレイ２１８を有し得る。アンテナ２０２は受信機２０６から信号を受信し、及び送信機２０４に信号を送信する。
これらの信号はマイクロプロセッサ２０８により処理される。マイクロプロセッサ２０８はさらにキーパッド２１６からの入力を処理し、ディスプレイ２１８に出力を送信する。電力供給ＩＣ２１０はマイク２１２及びスピーカ２１４に接続し、これらの電力の供給を制御する。本発明の別実施形態では、部分チェイスＨＡＲＱ技術はページャ、携帯情報端末（ＰＤＡ）等、他の通信装置でも実施し得る。
【０００７】
図２の送信機２０４及び受信機２０６の一部が図３に示される。部分チェイスＨＡＲＱ技術はブロックインターリーバ３０４と変調器３０８との間に接続された部分チェイスエンコーダ３０６及び、復調器３１２とブロックデインターリーバ３１６との間に接続された部分チェイスコンバイナ３１４を利用する。チャンネルエンコーダ３０２、ブロックインターリーバ３０４、変調器３０８、復調器３１２、ブロックデインターリーバ３１６及びチャネルデコーダ３１６は従来技術において公知の一般的な作動をするため、本開示ではこれ以上の詳細を提供しない。部分チェイスエンコーダ３０６及び部分チェイスコンバイナ３１４はハードウェア（ザイリンクス（Ｘｉｌｉｎｘ）社のＶｉｒｔｅｘ  ＸＣＶ２００Ｅ上のコンフィギュラブルロジック及びＲＡＭ）又はソフトウェア（モトローラ社のＭＳＣ８１０２ＤＳＰ上のコードにより実行）内で実施され得る。
【０００８】
部分チェイスエンコーダ３０６は再送信のためのチャネル資源の利用可能性に基づいてブロックインターリーバ３０４から受信したインターリーブしたデータを切り取り又は拡張する。好適な実施形態により、本発明は１ＸＴＲＥＭＥ  ＥＶ−ＤＶ内（ｃｄｍａ２０００展開の目的としてデータ及び音声双方の（１ｘＥＶ−ＤＶ）符号多重分割接続（ＣＤＭＡ）システムを提供すること）で実施され、ここのチャネル資源はウォルシュ符号等の直交符号である。しかし、別の実施形態では、本発明は３ＧＰＰ  Ｗ−ＣＤＭＡシステム内で実施され得、ここのチャネル資源は直交可変拡散率符号（ＯＶＳＦ）符号である。他の実施形態では、チャネル資源は時間多重分割接続（ＴＤＭＡ）内のタイムスロット、又は周波数多重分割接続（ＦＤＭＡ）或いはＯＦＤＭシステム内の周波数である。好適な実施形態では、部分チェイスコンバイナ３１４は符号の数及び受信した変調のみを基準に受信したデータを処理する（即ち、決められており、付加的な信号を要求しない）。受信した再送信が初回送信より小さい場合、ソフトビットの一部のみが合成される。再送信が初回送信よりも大きい場合、格納された初回送信の一部の値は、再送信のうちの１つ以上の受信ソフトビットと合成される。合成後、デインターリーバ３１６及びチャネルデコーダ３１８は初回送信に使用されたバッファと同一のサイズのバッファで作動し得る。
【０００９】
部分チェイスエンコーダの作動の詳細は図４を参照して記載される。図４は、利用可能なウォルシュ符号空間内の変更によって、情報の現行の送信（再送信）のためにより少ない利用可能な符号資源を備える部分チェイス符号化の例を示している。詳細には、初回送信の利用可能な資源の数（Ｎｒｅｓ１）は８つ（８）であり、５つの（５）符号資源（Ｎｒｅｓ＝５）が再送信のために利用可能である。所望の変調の次数ｍ（ＭＱＡＭに類似の一群のＭ信号内で  ｍ＝ｌｏｇ２Ｍビット／シンボル）は再送信のために変更されない（ｍ＝ｍ１）。変調の次数はチャネル状況による変更によって、再送信のために変更され得ることに注意すべきである。符号数は論理的なラベルであり、特定の符号資源に対応する必要はないことに注意すべきである。さらに、受信側で、合成されるデータは、同一又は異なる物理的ウォルシュ（Ｗａｌｓｈ）列を使用して送信され得る。
【００１０】
図４で示すように、部分チェイスエンコーダ３０６は、初回送信においてデータ変調に使用されるＭＣＳによる変調の次数（ｍ１）、再送信においてデータ変調に使用されるＭＣＳによる変調の次数（ｍ）、Ｎｒｅｓ１、及びＮｒｅｓという、４つの（４）入力を受信する。部分チェイスエンコーダ３０６は、再送信のためのＭＣＳが初回送信のＭＣＳと同一であり、及び再送信のために５つの資源のみが利用可能である旨の入力を受信し、再送信されるべき５つの符号のみに、好適にはインターリーブ後の符号化ビットである情報を生じる。先に送信された８つ（８）符号のうち３つ（３）に対する、インターリーブ後の符号化ビットは送信されない。好適な実施形態では、最初の５つ（５）の符号にインターリーブしたビットは再送信される。しかし、あらゆる５符号においてインターリーブ後の符号化ビットが再送信されることは当業者により理解され得る。
【００１１】
図４で示される部分チェイス符号化機能のより詳細な説明では、初回送信が８０個の符号化インターリーブデータビット（符号毎に１０ビット、第一符号資源にビット１〜１０、第二符号資源上にビット１１〜２０、等）を有する場合、再送信は５つの利用可能な符号（第一符号資源上にビット１〜１０、等）に５０ビット反復する。５つの利用可能な符号による第二再送信では、ビット１〜５０が再び送信されてもよいが、完全チェイスエンコーダと同等の性能を保証すべく、未だ再送信されていないビットを送信することが望ましい。第二再送信に５つの利用可能な符号がある場合、５０ビットは５つの利用可能な符号により送信される（第一符号資源にビット５１〜６０、第二符号資源にビット６１〜７０、第三符号資源にビット７１〜８０、第四符号資源にビット１〜１０、第五符号資源にビット１１〜２０）。
【００１２】
利用可能なウォルシュ符号空間内の変更によってインターリーブ後の符号化ビットの再送信のためにより大きな符号資源が利用可能である場合にも、部分チェイスエンコーダ３０６は使用され得る。例えば、図４において、Ｎｒｅｓ１＝５及びＮｒｅｓ＝８の場合、エンコーダ３０６は５つ全ての符号にインターリーブ後の符号化ビットを、少なくとも一度再送信させることを生じる（最初の５つの符号上にビット１〜５０、残りの３つの符号上にビット１〜３０）。
【００１３】
再送信のためにＭＣＳを変更した場合にも、部分チェイスエンコーダ３０６は使用され得る。図５は、ＭＣＳが、初回送信データにおける四位相偏移変調（ＱＰＳＫ）から、再送信データにおける直交振幅変調（ＱＡＭ）に変更された場合を示している。１６ＱＡＭはＱＰＳＫよりスペクトル効率が２倍である（図５内でｍ＝２* ｍ１と表示される）ため、１つの１６ＱＡＭ符号は２つのＱＰＳＫ符号と同一の情報を搬送し得る。図５の例では、利用可能な符号空間が、初回送信のＮｒｅｓ１＝８から再送信のためのＮｒｅｓ＝３に変更された。従って、初回送信において符号１，２により搬送されるインターリーブ後の符号化ビットは、再送信では符号１により搬送される。初回送信において符号３，４により搬送されるインターリーブ後の符号化ビットは、再送信では符号２により搬送される。初回送信において符号５，６により搬送されるインターリーブ後の符号化ビットは再送信では、符号３により搬送される。再送信のために利用可能な資源がこれ以上ないため、初回送信において符号７，８により搬送されるインターリーブ後の符号化ビットは、送信されない。変調の次数の変更及び符号資源の変更の全ての組合せが、部分チェイスエンコーダ３０６によって処理され得る一方で、Ｎｒｅｓ１＊ｍ１／ｍが整数値となる組合せが、最も効率的である。
【００１４】
部分チェイス符号化機能のより詳細な説明が図５で示される。初回送信が８０個の符号化インターリーブデータビットを有する場合（符号毎に１０ビット、第一符号資源にビット１〜１０、第二符号資源にビット１１〜２０、等）、再送信は３つの利用可能な符号により６０ビット反復する（第一符号資源にビット１〜２０、第二符号資源にビット２１〜４０、及び第三符号資源にビット４１〜６０）。
【００１５】
利用可能なウォルシュ符号空間内の変更によって、インターリーブ後の符号化ビットの再送信のためにより大きな符号資源が利用可能である図５の例においても、部分チェイスエンコーダ３０６は使用され得る。例えば、図５において、Ｎｒｅｓ１＝３及びＮｒｅｓ＝８の場合、初回送信においてＱＰＳＫ符号１，２により搬送されたインターリーブ後の符号化ビットは、再送信では１６ＱＡＭ符号１により搬送され得る。初回送信においてＱＰＳＫ符号３にインターリーブ後の符号化ビットは、再送信では１６ＱＡＭ符号２の第一半分により搬送される。好適には、再送信内の全ての未使用符号空間は、初回送信においてＱＰＳＫ符号１，２，３により搬送されたインターリーブ後の符号化ビットの反復により充填される。例えば、再送信における１６ＱＡＭ符号２の第二半分が、初回送信においてＱＰＳＫ符号１により搬送されたインターリーブ後の符号化ビットを反復し、再送信における１６ＱＡＭ符号３の第一半分が、初回送信においてＱＰＳＫ符号２により搬送されたインターリーブ後の符号化ビットを反復する、等である。
【００１６】
前の段落で述べたように、利用可能なウォルシュ空間が増加した場合、再送信による符号資源の使用も増加することが望ましい。これは、１６ＱＡＭからＱＰＳＫへ、等、再送信のための変調の次数の所望の変更とともに生じ得る。図６は、１６ＱＡＭからＱＰＳＫ（ｍ＝０．５＊ｍ１）への変調の変更により、初回送信の３つの符号（Ｎｒｅｓ１＝３）から再送信のために８つの符号（Ｎｒｅｓ＝８）に増加した利用可能な符号空間の例を示している。ＱＰＳＫはスペクトル効率が１６ＱＡＭの半分のため、２つのＱＰＳＫ符号が１つの１６ＱＡＭ符号と同一の情報を搬送するために必要とされる。従って、初回送信において１６ＱＡＭ符号１により搬送されたインターリーブ後の符号化ビットは、再送信ではＱＰＳＫ符号１，２により搬送される。初回送信において１６ＱＡＭ符号２により搬送されたインターリーブ後の符号化ビットは、再送信ではＱＰＳＫ符号３，４により搬送される。初回送信において１６ＱＡＭ符号３により搬送されたインターリーブ後の符号化ビットは、再送信ではＱＰＳＫ符号５，６により搬送される。再送信における最終の２つのＱＰＳＫ符号７，８は、初回送信において最初の１６ＱＡＭ符号にあるインターリーブ後の符号化ビットが反復される。
【００１７】
部分チェイス符号化機能のより詳細な説明が図６で示される。初回送信が符号化インターリーブした６０個のデータビットを有する場合（符号毎に２０ビット、第一符号資源にビット１〜２０、第二符号化資源にビット２１〜４０、等）、再送信は８つの利用可能な符号に８０ビット反復する（第一符号資源にビット１〜１０、第二符号資源にビット１１〜２０、第三符号資源にビット２１〜３０、第四符号資源にビット３１〜４０、第一符号資源にビット４１〜５０、第六符号資源にビット５１〜６０、第七符号資源にビット１〜１０、第八符号資源にビット１１〜２０）。
【００１８】
利用可能なウォルシュ符号空間内の変更によって、インターリーブ後の符号化ビットの再送信のためにより少ない利用可能な符号資源を備える図６の例でも、更にチェイスエンコーダ３０６は使用され得る。例えば、図６において、Ｎｒｅｓ１＝８、Ｎｒｅｓ＝３の場合、初回送信においてＱＰＳＫ符号１の第一半分により搬送されたインターリーブ後の符号化ビットは、再送信ではＱＰＳＫ符号１により搬送される。初回送信においてＱＰＳＫ符号１の第二半分により搬送されたインターリーブ後の符号化ビットは、再送信ではＱＰＳＫ符号２により搬送される。初回送信においてＱＰＳＫ符号２の第一半分により搬送されたインターリーブ後の符号化ビットは、再送信ではＱＰＳＫ符号３により搬送される。更なる再送信のために利用可能な資源がないため、１６ＱＡＭ符号２の第二半分から１６ＱＡＭ符号８の第二半分は送信されない。
【００１９】
部分チェイスエンコーダ３０６において、反復するためのインターリーブ後の符号化ビットの所定の選択は、再送信の機能によって変化し得ることに注意されたい。例えば、初回送信（８つの符号を利用可能）が符号１〜８を使用した場合、第一再送信（２つの符号を利用可能）は初回送信の符号１，２により搬送されたインターリーブ後の符号化ビットを反復し得、第二送信（７つの符号を利用可能）は初回送信における符号３〜８及び１により搬送されたインターリーブ後の符号化ビットを反復し得る。この手法により、同一の合計数の符号が送信され、同一の変調が使用された場合は、部分チェイス合成が、完全なチェイス合成の見逃しフレーム誤差率（ｒｅｓｉｄｕａｌ  ｆｒａｍｅ  ｅｒｒｏｒ  ｒａｔｅ）の性能を実現し得る。
【００２０】
図３による送信機の流れのうちの部分チェイスエンコーダ３０６に対する図４〜６による３つの例は、図３による受信機の流れのうちの部分チェイスコンバイナ３１４に対する図７〜９において続けて述べられる。図７〜９において、初回送信及び再送信において符号により搬送された情報は、インターリーブ後の符号化ビットの代わりに、好適な実施例では対数尤度比（ＬＬＲ）等、ソフト値に復調される。コンバイナ３１４は、初回送信及び再送信によるＬＬＲを合成ビットＬＬＲバッファ内に合成する。バッファのサイズは初回送信により判定される。ｃｂｕｆに転送するまで、初回送信からのＬＬＲは受信メモリ（ｒｂｕｆ）内に格納され得る。別の方法では、初回送信によるＬＬＲはｃｂｕｆ内に直接格納され得る。図７の例では、部分チェイス合成３１４は初回送信の８つの符号（Ｎｒｅｓ１＝８）によるＬＬＲの一部と再送信の５つの符号（Ｎｒｅｓ＝５）によるＬＬＲを合成する。（変調の次数は変更していない。）初回送信後のｃｂｕｆの内容が示されている。詳細には、初回送信の符号１によるＬＬＲは再送信の符号１によるＬＬＲと合成される。同様に、初回送信の符号２によるＬＬＲは再送信の符号２によるＬＬＲと合成される、等である。図７に示すように、符号６，７，８によってインターリーブ後の符号化ビットを再送信するために利用可能な資源がないため、初回送信の符号６，７，８からのＬＬＲは合成されない。好適な実施形態では、ビットＬＬＲが復調処理の一部として提供されるために、合成ビットＬＬＲバッファに示される‘＋’の記号は、単なる加算を示している。別の実施形態では、“＋”の記号は、復調処理の一部として提供される復調されたソフト値の最大比率での合成（等しい利得のための平均）を示している。
【００２１】
部分チェイス合成機能のより詳細な説明が図７で示される。初回送信が符号化インターリーブした８０個のデータビットを有する場合、ｃｂｕｆは８０ビットのＬＬＲを含む。ｒｂｕｆは５０ビットのＬＬＲを含む。部分チェイスコンバイナ３１４はｃｂｕｆの最初の５０ビットをｒｂｕｆの内容と合成する。第二再送信に５つの利用可能な符号がある場合、ｒｂｕｆは再び５０ビットのＬＬＲを含む。ｒｂｕｆのビットＬＬＲ１〜３０はｃｂｕｆの合成ビットＬＬＲ５１〜８０に加えられ、及びｒｂｕｆのビットＬＬＲ３１〜５０はｃｂｕｆの合成ビットＬＬＲ１〜２０に加えられる。
【００２２】
利用可能なウォルシュ符号空間の変化によって、インターリーブ後の符号化ビットの再送信のためにより多くの符号資源が利用可能な場合にも、部分チェイスコンバイナ３１４は更に使用され得る。例えば、図７において、Ｎｒｅｓ１＝５及びＮｒｅｓ＝８の場合、ｃｂｕｆは以下のように示され得る。
【００２３】
【表１】
2005503692.tif 000003
図８の例では、部分チェイスコンバイナ３１４は、初回送信の８つの符号（Ｎｒｅｓ１＝８）によるＬＬＲの一部を、再送信の３つの符号（Ｎｒｅｓ＝３）と合成する。この例では、変調の次数はＱＰＳＫから１６ＱＡＭ（ｍ＝２＊ｍ１）に変更された。初回再送信後の、合成ビットＬＬＲバッファの中身が示される。‘１／２’の記号は、高次の変調を有する符号による現在の受信ビットの半分の第一部分又は第二部分を示すために使用される。詳細には、図８は、初回送信の符号１によるＬＬＲが、再送信の符号１の第一半分によるＬＬＲと合成され、初回送信の符号２によるＬＬＲが、再送信の符号１の第二半分によるＬＬＲと合成されることを示している。初回送信の符号３によるＬＬＲは、再送信の符号２の第一半分によるＬＬＲと合成され、初回送信の符号４によるＬＬＲは、再送信の符号２の第二半分によるＬＬＲと合成される、等である。図８で示すように、符号７，８によってインターリーブ後の符号化ビットを再送信するために資源が利用可能でないため、初回送信の符号７，８によるＬＬＲは合成されない。
【００２４】
利用可能なウォルシュ符号空間の変化によって、インターリーブ後の符号化ビットの再送信のためにより多くの符号資源が利用可能な場合の図８の例において、部分チェイスコンバイナ３１４は更に使用され得る。例えば、図８で、Ｎｒｅｓ１＝３及びＮｒｅｓ＝８の場合、ｃｂｕｆは以下のように示され得る。
【００２５】
【表２】
2005503692.tif 000004
図９の例では、部分チェイスコンバイナ３１４は、初回送信の３つの符号（Ｎｒｅｓ１＝３）によるＬＬＲを、再送信の８つの符号（Ｎｒｅｓ＝８）によるＬＬＲの一部と合成する。この例では、変調の次数は１６ＱＡＭからＱＰＳＫに変更されている（ｍ＝０．５＊ｍ１）。第一再送信後の合成ビットＬＬＲバッファの内容が示されている。詳細には、図９は初回送信の符号１によるＬＬＲが、再送信の符号１，２によるＬＬＲと合成されることを示している。初回送信の符号２によるＬＬＲは、再送信の符号３，４によるＬＬＲと合成される。初回送信の符号３によるＬＬＲは、再送信の符号５，６によるＬＬＲと合成される。最終的に、初回送信の符号１によるＬＬＲ、及び再送信の符号１，２によるＬＬＲの組合せは、再送信の符号７，８と合成される。
【００２６】
利用可能なウォルシュ符号空間の変化によって、インターリーブした符号ビットの再送信のために利用可能な符号資源が少ない図９の例において、部分チェイスコンバイナ３１４は更に使用され得る。図９において、Ｎｒｅｓ１＝８及びＮｒｅｓ＝３の場合、合成したビットＬＬＲバッファは以下のように示され得る。
【００２７】
【表３】
2005503692.tif 000005
様々な改良並びに変更が本発明の装置並びに方法から形成し得ること、及びその装置の構成が本発明の範囲と精神から逸脱していないことを当業者は理解する。例えば、インターリーブした符号データは、潜在的な再送信のために初回送信後に格納され得、又は再送信時に再生成され得る。別の例では、部分チェイスコンバイナ３１４は部分チェイスプレコンバイナ及びチェイスコンバイナに分離され得る。現行の合成がデインターリーバの後に実行される場合、これは有用であり得る。この場合、部分チェイスプレコンバイナは完全なチェイス符号化／合成シナリオ内で作動されるブロックデインターリーバと同一のサイズのソフトブロックを生成する。再送信が小さい場合、ヌル（ソフトゼロ）シンボルが充填され、及び再送信が大きい場合、ソフト受信値の一部が事前合成される。双方の作動は、所与の受信変調（ＭＣＳ）及び符号数の事前に決められた手法により、生じる。
【００２８】
別の例として、高次の変調を使用するシステムにおいて、部分チェイス合成はシンボルベース（ビットＬＬＲではなく）により、完全なチェイス合成と同様に、実行され得る。しかし、このような場合、変調は送信間で変更してはならない。更なる例では、高次の変調を使用するシステムにおいて、部分チェイス合成は、チェイス符号と同様に、ＱＰＳＫ、ＱＡＭなどの変調後にインターリーブ後の符号化シンボルにより実行され得る。しかし、このような場合、変調が再送信間で変更されないように限定されるべきである。
【００２９】
別の例として、再送信のために使用された実際の符号（符号資源の論理的な符号数ではなく）が、第一送信のために使用された符号と同一である場合は（第一送信の８つの符号が符号７〜１４を使用して、再送信の５つの符号が符号７〜１１を使用するなど）、拡散符号化データが部分チェイスエンコーダにより使用され得る。しかし、これは更に格納が必要となる。
【００３０】
更なる別の例として、受信機は、必要に応じて、合成及び結合復調前に受信データを別々に復調する選択肢を有する。受信データが、部分チェイス合成を使用し、Ｎｒｅｓ＊ｍ＞＝Ｎｒｅｓ１＊ｍ１の場合のみ、自己復調可能なブロックが保証される、自己復調可能である場合、これは成功し得る。
【図面の簡単な説明】
【００３１】
【図１】従来の完全なチェイスＨＡＲＱスキームを使用した通信送信の送信機／受信機の流れの一部を示す。
【図２】本発明に基づく部分チェイスＨＡＲＱスキームを実施し得る通信装置の好適な実施形態を示す。
【図３】本発明の好適な実施形態に基づく装置により実施され得る送信機／受信機の流れの一部を示す。
【図４】利用可能なウォルシュ符号空間の変更及び一定のＭＣＳによって、再送信のために利用可能な符号資源がより少ない場合の部分チェイス符号化の例を示す。
【図５】情報の再送信のために利用可能な符号資源がより少なく、及びＭＣＳが初回送信データのためのＱＰＳＫから再送信によるデータのための１６ＱＡＭへ変更した部分チェイス符号化の例を示す。
【図６】情報の再送信のために利用可能な符号化資源がより多く、及びＭＣＳが初回送信上のデータのための１６ＱＡＭから再送信によるデータのためのＱＰＳＫへ変更した部分チェイス符号化の例を示す。
【図７】再送信より多くの資源が使用される初回送信である場合、並びに一定のＭＣＳである場合における、初回送信のＬＬＲの一部と再送信のＬＬＲの部分チェイス合成の例を示す。
【図８】再送信より多くの資源が使用される初回送信である場合、並びにＭＣＳがＱＰＳＫから１６ＱＡＭへ変更された場合における、初回送信のＬＬＲの一部と再送信のＬＬＲの部分チェイス合成の例を示す。
【図９】再送信より多くの資源が使用される初回送信である場合、並びにＭＣＳが１６ＱＡＭからＱＰＳＫへ変更された場合における、初回送信のＬＬＲの一部と再送信のＬＬＲの部分チェイス合成の例を示す。
【図１】
2005503692.tif 000006
【図２】
2005503692.tif 000007
【図３】
2005503692.tif 000008
【図４】
2005503692.tif 000009
【図５】
2005503692.tif 000010
【図６】
2005503692.tif 000011
【図７】
2005503692.tif 000012
【図８】
2005503692.tif 000013
【図９】
2005503692.tif 000014
【国際公開パンフレット】
2005503692.tif 000015
2005503692.tif 000016
2005503692.tif 000017
2005503692.tif 000018
2005503692.tif 000019
2005503692.tif 000020
2005503692.tif 000021
2005503692.tif 000022
2005503692.tif 000023
2005503692.tif 000024
2005503692.tif 000025
2005503692.tif 000026
2005503692.tif 000027
2005503692.tif 000028
2005503692.tif 000029
2005503692.tif 000030
2005503692.tif 000031
2005503692.tif 000032
2005503692.tif 000033
2005503692.tif 000034
2005503692.tif 000035
【国際調査報告】
2005503692.tif 000036
2005503692.tif 000037
2005503692.tif 000038